(57)【要約】  【課題】  本発明は、利用者ＩＤと演奏頻度を利用し、複数の利用者ＩＤが取得された際に、皆が代わる代わる歌唱できるメドレー楽曲を自動的に作成することにより、グループで利用者が来店するカラオケボックスなどでの雰囲気を大いに盛り上げることのできるグループメドレー作成システム。  【解決手段】  利用者ＩＤ取得手段（３）と、楽曲演奏頻度記録手段（１５）と、グループ登録手段（１６）と、演奏頻度上位曲抽出手段（１７）と、グループメドレー作成手段（１８）と、抽出楽曲表示手段（１９）を要し、利用者別演奏頻度管理テーブル（Ｔ１）で管理している各利用者が歌唱した楽曲の演奏頻度を参照し、複数の利用者がグループ登録されたなら、利用者別抽出曲管理テーブル（Ｔ２）に納められている演奏頻度上位楽曲からグループメドレーを自動的に作成するシステムを構築した。【選択図】図１
2007298688.tif 000002
【特許請求の範囲】
【請求項１】
利用者ＩＤ取得手段と、楽曲演奏頻度記録手段と、グループ登録手段と、演奏頻度上位曲抽出手段と、グループメドレー作成手段とを要し、カラオケ装置を利用したシステムであって、
（ア）利用者ＩＤ取得手段とは、利用者ＩＤを取得して利用者を特定するものであり、
（イ）楽曲演奏頻度記録手段とは、前記利用者ＩＤ取得手段にて特定された任意の利用者が歌唱した楽曲の演奏頻度を、利用者別演奏頻度管理テーブルに記録するものであり、
（ウ）グループ登録手段とは、前記利用者ＩＤ取得手段にて複数の利用者ＩＤが特定された場合、それら利用者ＩＤをもってグループ登録できるものであり、
（エ）演奏頻度上位曲抽出手段とは、前記利用者別演奏頻度管理テーブルに記録された演奏頻度にもとづき、グループ登録された各利用者についてそれぞれの上位所定楽曲を抽出し、利用者別抽出曲管理テーブルに記録するものであり、
（オ）グループメドレー作成手段とは、前記利用者別抽出曲管理テーブルに記録された楽曲について、それぞれの予め設定された歌唱区間を繋ぎ合わせ、グループメドレーを作成するものである、
ことを特徴とするグループメドレー作成システム。
【請求項２】
さらに、抽出楽曲表示手段を備え、当該抽出楽曲表示手段は、前記作成されるグループメドレーを構成する抽出楽曲の情報を、所定の表示部に表示させるものであることを特徴とする請求項１記載のグループメドレー作成システム。
【請求項３】
前記カラオケ装置とネットワーク接続されたカラオケホスト装置を利用し、当該ホスト装置内に、楽曲演奏頻度記録手段が設けられている請求項１または請求項２記載のグループメドレー作成システム。
【発明の詳細な説明】
【技術分野】
【０００１】
本発明は、グループメドレー作成システムに関し、とくに、複数の利用者が皆で代わる代わる歌唱できるメドレー楽曲を自動的に作成できるシステムに関する。
【背景技術】
【０００２】
カラオケ装置の楽曲でメドレー楽曲とは、アーティストの各持ち歌の一部分、主にサビ部分を抜き取って一曲に納めるものであり、従来は、アーティストのどの曲を使用するかを、カラオケ業者が楽曲を作成する際に選曲していた。
【０００３】
最近では利用者毎にメドレー楽曲を選択できる技術が想到されている。例えば、特許文献１では、利用者が所望の楽曲を選曲してメドレー楽曲を作成する技術が開示されている。また、特許文献２では、利用者が指定した区間をメドレー楽曲として登録する技術が開示されている。
【特許文献１】特開平１０−４９１８０号公報
【特許文献２】特開平１１−２１２５８３号公報
【発明の開示】
【発明が解決しようとする課題】
【０００４】
しかしながら、上記発明では、利用者がメドレーとする楽曲を、その都度、一々選択しなければならないという手間がかかり、かつ、複数の利用者が、グループで皆代わる代わる歌唱できるメドレー楽曲を登録することができなかった。そこで本発明は、利用者ＩＤと演奏頻度を使用し、複数の利用者ＩＤが取得された際に、皆が代わる代わる歌唱できるメドレー楽曲を自動的に作成することを目的とする。
【課題を解決するための手段】
【０００５】
上記課題を鑑み、本発明では、利用者毎の演奏頻度上位曲を抽出し、利用者ＩＤを取得した複数の利用者がグループ登録された場合は、その演奏頻度上位楽曲から、グループメドレーを作成することにより上記課題を解決することを見出し、本発明のグループメドレー作成システムを想到した。
【０００６】
すなわち、本発明の請求項１のグループメドレー作成システムは、利用者ＩＤ取得手段と、楽曲演奏頻度記録手段と、グループ登録手段と、演奏頻度上位曲抽出手段と、グループメドレー作成手段とを要し、カラオケ装置を利用したシステムであって、
（ア）利用者ＩＤ取得手段とは、利用者ＩＤを取得して利用者を特定するものであり、
（イ）楽曲演奏頻度記録手段とは、前記利用者ＩＤ取得手段にて特定された任意の利用者が歌唱した楽曲の演奏頻度を、利用者別演奏頻度管理テーブルに記録するものであり、
（ウ）グループ登録手段とは、前記利用者ＩＤ取得手段にて複数の利用者ＩＤが特定された場合、それら利用者ＩＤをもってグループ登録できるものであり、
（エ）演奏頻度上位曲抽出手段とは、前記利用者別演奏頻度管理テーブルに記録された演奏頻度にもとづき、グループ登録された各利用者についてそれぞれの上位所定楽曲を抽出し、利用者別抽出曲管理テーブルに記録するものであり、
（オ）グループメドレー作成手段とは、前記利用者別抽出曲管理テーブルに記録された楽曲について、それぞれの予め設定された歌唱区間を繋ぎ合わせ、グループメドレーを作成するものである、
ことを特徴とする。
【０００７】
次に、本発明の請求項２記載のグループメドレー作成システムは、請求項１記載のシステムにおいて、さらに、抽出楽曲表示手段を備え、当該抽出楽曲表示手段は、前記作成されるグループメドレーを構成する抽出楽曲の情報を、所定の表示部に表示させるものであることを特徴とする。
【０００８】
次に、本発明の請求項３記載のグループメドレー作成システムは、請求項１または請求項２記載のシステムにおいて、前記カラオケ装置とネットワーク接続されたカラオケホスト装置を利用し、当該ホスト装置内に、楽曲演奏頻度記録手段が設けられていることを特徴とする。
【発明の効果】
【０００９】
本発明の請求項１記載のグループメドレー作成システムによれば、利用者ＩＤ取得手段で特定された利用者が歌唱した楽曲の演奏頻度を、利用者別演奏頻度管理テーブルにて管理し、複数の利用者ＩＤが特定された場合は、それら利用者をグループ登録することができ、利用者別演奏頻度管理テーブルで管理された各グループメンバーの楽曲から、予め設定された上位曲を抽出して利用者別抽出管理テーブルにて管理し、それぞれの楽曲の予め設定された歌唱区間を繋ぎ合わせることにより、皆が代わる代わる歌唱できるグループメドレーを自動的に作成することができ、かつ、好みの楽曲や得意とする楽曲をメドレー楽曲とすることで、グループで利用者が来店するカラオケボックスなどで雰囲気を大いに盛り上げるといった効果を奏する。
【００１０】
さらに、本発明の請求項２記載のグループメドレー作成システムによれば、利用者別抽出管理テーブルにて管理されている楽曲について、抽出楽曲表示手段を使用して所定の表示部に表示させ、グループメドレーを構成する楽曲情報を事前に確認できるようにしたので、利用者の演奏頻度により変動する抽出楽曲を歌唱前に確認できるといった効果を奏する。
【００１１】
さらに、本発明の請求項３記載のグループメドレー作成システムによれば、カラオケホスト装置において、楽曲演奏頻度記録手段にて作成された利用者別演奏頻度管理テーブルによって利用者が歌唱した演奏頻度を管理しており、カラオケホスト装置にネットワーク接続された如何なるカラオケ装置からも前記演奏頻度などの情報を収集できると共に、如何なるカラオケ装置へもカラオケホスト装置に収集された情報を還元することにより、どのカラオケ装置からでも同じサービスが受けられるといった効果を奏する。
【００１２】
以下に、本発明のカラオケシステムについて最適な実施例を挙げ、先ず、図１に示すカラオケシステムを構成するカラオケ装置のブロック構成図について説明する。
【実施例１】
【００１３】
図１は、本発明のカラオケシステムを構成するカラオケ装置のブロック構成図である。本実施例におけるカラオケ装置（Ｐ）は、主に中央制御手段（２）と、これに接続される各種機能手段およびハードディスク（ＨＤＤ）（４）などから構成される。ここでカラオケ装置（Ｐ）における各構成要素について説明する。先ず、通信制御手段（１２）は、ＡＤＳＬ回線、ＩＳＤＮ回線、一般回線などのネットワーク通信回線を介して行われるカラオケホスト装置との通信を制御するためのものである。また、利用者ＩＤ取得手段（３）は、利用者ＩＤ（２２）を取得して利用者を特定するものであり、後述するように、例えばＩＤカードＲ／Ｗ（読み取り／書き込み装置）などのインタフェースを使用する。この利用者ＩＤ取得手段（３）によって、一度、その利用者ＩＤをもってログインした利用者が所定の操作処理をした場合、その利用者が特定される。なお、利用者ＩＤ（２２）は、リモコン装置（Ｒ）のフラッシュメモリ（図示省略）とハードディスク（４）の双方に格納することができる。
【００１４】
次に、音声生成プロセスについて説明する。音源（６）は中央制御手段（２）が実行するシーケンサ（１４）の処理によって入力され、デジタルミキサ（７）は音源（６）が発生した複数の楽音信号やカラオケマイク（Ｍ）とＡ／Ｄコンバータ（９）を介して入力された歌唱者の歌唱音声信号を適当なバランスでミキシングする。ミキシングされたデジタル音声信号はサウンドシステム（ＳＳ）（８）に入力される。このサウンドシステム（８）はパワーアンプを備えており、入力されたデジタル信号をアナログ信号に変換して増幅し、スピーカ（ＳＰ）から楽音と歌唱音声信号を放音する。
【００１５】
ハードディスク（４）に記録されている各楽曲コード（２０）に対応づけられた映像データ（２１）は、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換して合成回路（１１）に入力し、この合成回路（１１）は、背景映像の映像信号上にテロップや採点ＯＳＤを合成し、合成された映像信号は表示手段（メインモニタ）（Ｄ１）に表示される。また、ハードディスク（４）には、楽曲演奏頻度記録手段（１５）を利用して利用者毎の演奏頻度を記録する利用者別演奏頻度管理テーブル（Ｔ１）が設けられており、さらにグループ登録手段（１６）でグループ登録された各利用者の演奏頻度上位曲が演奏頻度上位曲抽出手段（１７）を利用して抽出され、抽出された演奏頻度上位曲が利用者別抽出曲管理テーブル（Ｔ２）に記録され、このテーブル（Ｔ２）と、各楽曲のメドレーで歌唱する区間を管理する楽曲別メドレー対応歌唱区間管理テーブル（Ｔ３）とを使用して、グループメドレー作成手段（１８）にてグループメドレーを作成する。なお、図１１に示すように、楽曲別メドレー対応歌唱区間テーブル（Ｔ３）は、楽曲コードと各歌唱区間の開始と終了を、演奏開始からの経過時間を１／１００秒単位に刻んで対応付けている。また、抽出楽曲表示手段（１９）を使用し、作成されたグループメドレーを構成する各利用者の抽出楽曲一覧情報を、表示手段（Ｄ１）にて表示することも可能である。
【００１６】
そして、リモコン装置（Ｒ）は、楽曲検索機能あるいは、楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列（図示省略）に楽曲コードを演奏予約する。
【００１７】
次に、図２に示す、カラオケリモコン装置の外観斜視図と、図３に示す、利用者別ログイン・ログアウト指示のインタフェース表示画面にもとづき、各利用者の利用者ＩＤ取得手順について説明する。
【００１８】
先ず、図２は、ＧＵＩ操作パネル（Ｒａ）が備えられたリモコン装置（Ｒ）の外観斜視図である。このリモコン装置（Ｒ）は、利用者ＩＤを取得し、当該利用者のログインを特定するためのＩＤカードＲ／Ｗ（３）が付帯されている。このＩＤカードＲ／Ｗ（３）は非接触のＩＣモジュールを搭載したカードを対象とする装置であり、ＩＤカードに紐付けされた利用者ＩＤを特定するものである。もちろん、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体識別機能による機構の利用者識別手段を利用しても構わない。なお、このカラオケ装置と通信したり、さらには、ＶＰＮ（Virtual Private Network）を介してカラオケホスト装置と通信したりできる。
【００１９】
次に、図３は、本システムにログインするための利用者ＩＤ登録を行う画面である。前記リモコン装置（Ｒ）の利用者ＩＤ所得手段（３）にて利用者がシステムにログインすると、前記ＧＵＩ操作パネル（Ｒａ）に表示される「お客様メンバーズゲート」画面（２２）内に当該利用者の「ゲートボタン」（２２ａ）が形成される。その後、当該利用者は「ゲートボタン」（２２ａ）を選択し歌唱したい楽曲を選択することにより、図１に示す演奏予約手段（１３）は、その楽曲を利用者ＩＤと紐付けして予約楽曲が予約待ち行列に登録され、当該楽曲が演奏される。
【００２０】
次に、図４に示す、利用者別演奏頻度管理テーブルの概略図と、図５に示す、利用者ＩＤグループ登録の概略図について説明する。
【００２１】
図４は、利用者別演奏頻度管理テーブル（Ｔ１）の概略図であり、（ア）は利用者Ａ、（イ）は利用者Ｂ、（ウ）は利用者Ｃの演奏頻度を示し、楽曲演奏頻度記録手段（１５）を利用し、利用者別の演奏頻度を管理したテーブルである。この利用者別演奏頻度管理テーブル（Ｔ１）は、各利用者が歌唱した楽曲情報を、演奏端末毎あるいはカラオケホスト装置にて管理するものであり、その構成要素としては、利用者ＩＤを特定する「利用者ＩＤ」フィールド（ｆ１）と、管理するための管理番号を示す「管理番号」フィールド（ｆ２）と、利用者が歌唱した楽曲の曲名を示す「曲名」フィールド（ｆ３）と、その楽曲ＩＤを示す「楽曲コード」フィールド（ｆ４）と、歌唱した楽曲の頻度を示す「演奏頻度」フィールド（ｆ５）と、演奏頻度の順位を示す「頻度順位」フィールド（ｆ６）などからなる。なお、本実施例の演奏頻度に関する期間は、例えば現在から過去の所定期間をさかのぼり記録することであるが、所定期間を限定したり、利用者が最初に歌唱した時から現在までの期間を記録することも可能である。
【００２２】
次に、図５は、利用者ＩＤグループ登録の概略図であり、複数の利用者ＩＤが取得された場合、それらの利用者ＩＤをグループ登録できるものであり、その構成要素としては、グループのＩＤを特定する「グループＩＤ」フィールド（ｆ１）と、グループの名称を示す「グループ名称」フィールド（ｆ２）と、利用者ＩＤを管理するための管理番号を示す「管理番号」フィールド（ｆ３）と、グループ登録される利用者のＩＤを示す「利用者ＩＤ」フィールド（ｆ４）からなる。なお、本実施例で、各利用者がログイン時に自動的にグループ形成されるが、任意の利用者が特定の利用者を選択してグループ登録することも可能である。
【００２３】
次に、図６に示す、利用者別抽出曲管理テーブルの概略図と、図７に示す、グループメドレー作成の概略図と、図８に示す、利用者別抽出楽曲の表示画面について説明する。
【００２４】
図６は、利用者別抽出曲管理テーブル（Ｔ２）の概略図であり、図４に示した利用者別演奏頻度管理テーブル（Ｔ１）から、グループ登録された各利用者の演奏頻度上位曲を抽出したものである。その構成要素としては、利用者ＩＤを特定する「利用者ＩＤ」フィールド（ｆ１）と、演奏頻度の順位を示す「頻度順位」フィールド（ｆ２）と、利用者が歌唱した楽曲の曲名を示す「曲名」フィールド（ｆ３）と、その楽曲ＩＤを示す「楽曲コード」フィールド（ｆ４）からなり、各利用者の所定上位曲が納められている。なお、本実施例では、演奏頻度の１位と２位のものが選択されているが、グループの人数に対応して頻度順位を変動させることができる。
【００２５】
次に、図７は、グループメドレー作成の概略図であり、概略図（ア）は、グループメドレー作成手段を使用し、前記利用者別演奏頻度管理テーブルで管理されている各利用者の上位所定楽曲を繋ぎ合わせてグループメドレーを作成したものであり、この作成されたグループメドレーの、演奏時の楽曲を示したものが表示画面（イ）である。表示画面（イ）は、グループ名（Ｄａ）と、各利用者の抽出された楽曲の歌詞を表示する歌詞表示部（Ｄｂ）と、現在どの利用者の楽曲がメドレーとして演奏されているかを表示する利用者楽曲表示部（Ｄｃ）からなる。
【００２６】
なお、同図（ア）において、利用者Ａ歌唱区間と利用者Ｂ歌唱区間と利用者Ｃ歌唱区間のそれぞれの歌唱区間の接続部分には、ブリッジ（図示省略）と称される楽曲移行のための間奏が挿入される。また、同図（イ）の表示は歌詞テロップとともに表示するためメインモニタ（Ｄ１）に表示されるが、必要に応じて、リモコン装置（Ｒ）のＬＣＤ（Liquid Crystal Display）の表示部にも同時表示されることもできる。
【００２７】
次に、図８は、利用者別抽出楽曲の表示画面であり、抽出楽曲表示手段にて前記利用者別抽出曲管理テーブルで管理されている、グループ登録された各利用者の上位所定楽曲を、メインモニタまたはリモコン装置のＬＣＤに表示させたものであり、グループメドレー楽曲リスト（Ｄｅ）にてメドレーに納められている各利用者の楽曲情報が確認できる。この図示例では、グループ登録された各利用者について、演奏頻度が上位２曲のものが抽出されている。
【００２８】
次に、図９に示す、本発明に関わる通信カラオケシステムの概念的構成図と、図１０に示す、本発明のシステムに関連するカラオケホスト装置のブロック構成図にもとづき、本発明におけるカラオケ装置とカラオケホスト装置との関係と共に、当該カラオケホスト装置に設けられた、楽曲演奏頻度記録手段と利用者別演奏頻度管理テーブルについて説明する。
【実施例２】
【００２９】
先ず、図９に示すように、本発明に関する通信カラオケシステムは、主に、カラオケホスト装置（Ｈ）と通信ネットワークを介して接続された多数のカラオケ演奏装置（Ｐ，Ｐ・・・・）からなる。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ・・・・）に接続される。そして、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続され、各ルータは、その内蔵するＤＨＣＰ(Dynamic Host Configuration Protocol)サーバー機能によって、各カラオケ演奏装置（Ｐ，Ｐ・・・・）にＩＰアドレスを割り当て、それらのＭＡＣ（Media Access Control）アドレスと、このＩＰアドレスを対応付けしたテーブルを作成して通信処理をしている。
【００３０】
次に、図１０は、本発明のシステムに関連するカラオケホスト装置のブロック構成図である。カラオケホスト装置（Ｈ）は、通信制御インタフェース（３０）を利用しカラオケ装置（Ｐ）と通信を行い、中央制御手段（３１）における楽曲演奏頻度記録手段（３２）の指示により、ハードディス（ＨＤＤ）（３３）には、前記したカラオケ装置と同様に、利用者別演奏頻度管理テーブル（Ｔ１）が設けられている。また、カラオケホスト装置（Ｈ）より保存したデータを各カラオケ装置（Ｐ，Ｐ・・・・）にダウンロードすることが可能である。これによりカラオケホスト装置（Ｈ）にネットワーク接続された如何なるカラオケ装置（Ｐ，Ｐ・・・・）からも情報を収集できると共に、如何なるカラオケ装置（Ｐ，Ｐ・・・・）へもカラオケホスト装置（Ｈ）に収集された情報を還元することにより、どこのカラオケ装置（Ｐ，Ｐ・・・・）からでも同じサービスが受けられるといった効果を奏する。
【００３１】
以上、説明したように、本発明のグループメドレー作成システムによれば、利用者が歌唱した楽曲の演奏頻度を利用し、複数利用者がグループ登録することにより、各利用者の演奏頻度上位曲を抽出し、グループメドレーを作成することにより、代わる代わる皆が歌唱できるグループメドレーを自動的に作成でき、グループで利用者が来店するカラオケボックスなどで雰囲気を大いに盛り上げるといった効果を奏する。
【図面の簡単な説明】
【００３２】
【図１】本システムに関連するカラオケ装置のブロック構成図
【図２】カラオケリモコン装置の外観斜視図
【図３】利用者別ログイン・ログアウト指示のインタフェース表示画面の概略図
【図４】利用者別演奏頻度管理テーブルの概略図
【図５】利用者ＩＤグループ登録の概略図
【図６】利用者別抽出曲管理テーブルの概略図
【図７】グループメドレー作成の概略図
【図８】利用者別抽出楽曲の表示画面の概略図
【図９】本発明に関わる通信カラオケシステムの概念的構成図
【図１０】本発明のシステムに関連するカラオケホスト装置のブロック構成図
【図１１】楽曲別メドレー対応歌唱区間テーブルの概略図
【符号の説明】
【００３３】
Ｐ カラオケ装置
２，３１   中央制御手段
３，       ＩＤカードＲ／Ｗ（読み取り／書き込み装置）（利用者ＩＤ取得手段）
４，３３   ハードディスク（ＨＤＤ）
１５      楽曲演奏頻度記録手段
１６     グループ登録手段
１７   演奏頻度上位曲抽出手段
１８   グループメドレー作成手段
１９  抽出楽曲表示手段
Ｔ１  利用者別演奏頻度管理テーブル
Ｔ２     利用者別抽出曲管理テーブル
Ｒ               リモコン装置
【図１】
2007298688.tif 000003
【図２】
2007298688.tif 000004
【図３】
2007298688.tif 000005
【図４】
2007298688.tif 000006
【図５】
2007298688.tif 000007
【図６】
2007298688.tif 000008
【図７】
2007298688.tif 000009
【図８】
2007298688.tif 000010
【図９】
2007298688.tif 000011
【図１０】
2007298688.tif 000012
【図１１】
2007298688.tif 000013